(57)【要約】【課題】  第２シャッタを大型化することなくヘッド開口部をスムースに開閉することができるディスクカートリッジを得る。【解決手段】  ディスクカートリッジ１０では、ケース１４のディスク収容部５０内に円板状のディスクメディアが回転可能に収容されるようになっており、ケース１４の底板３８にはドライブ装置のヘッドがディスクメディアの記録面にアクセスするためのヘッド開口部１６が設けられている。ヘッド開口部１６は、ディスクメディアの軸心と同軸的に回動可能な第１シャッタ６４と、第１シャッタ６４の回動軸心とは異なる回動軸心廻りに回動可能な第２シャッタ７４とが、互いに端部を突き当てて閉塞される。第１シャッタ６４と第２シャッタ７４との互いの突き当て端６４Ａ、７４Ａは、第２シャッタ７４の回動軸心を中心とする円弧形状に形成された部分を有する。【選択図】      図１
2005259246.tif 000002
【特許請求の範囲】
【請求項１】
円板状に形成されたディスクメディアを回転可能に収容する収容部と、前記収容部における前記ディスクメディアの記録面側に設けられドライブ装置のヘッドが前記記録面にアクセスするためのヘッド開口部とを有するケースと、
前記ケースに前記ディスクメディアと同軸的な回動可能に設けられた第１シャッタと、前記第１シャッタとは異なる軸廻りに回動可能な第２シャッタとを有し、前記第１シャッタと第２シャッタとが互いに端部を突き当てて前記ヘッド開口部を閉塞し、前記第１シャッタと第２シャッタとが前記ヘッド開口部に対し互いに反対方向に回動して該ヘッド開口部を開放するシャッタ機構と、
を備え、前記ヘッド開口部の閉塞状態における前記第１シャッタと第２シャッタとの互いの突き当て端が、前記第２シャッタの回動軸心を中心とする円弧形状の部分を有する、
ことを特徴とするディスクカートリッジ。
【請求項２】
前記第１シャッタと第２シャッタとの互いの突き当て端は、
該突き当て端が仮想直線であると仮定した場合に、該仮想直線と、該仮想直線と前記第２シャッタの回動軸心とを結ぶ直線とが成す角が鋭角となる範囲を、
前記第２シャッタの回動軸心を中心とする円弧形状に形成した、ことを特徴とする請求項１記載のディスクカートリッジ。
【請求項３】
前記第１シャッタと第２シャッタとの互いの突き当て端は、
前記第１シャッタの突き当て端が前記ヘッド開口部の開放状態で該ヘッド開口部の縁部に沿う仮想直線であると仮定した場合に、該仮想直線と、該仮想直線と前記第２シャッタの回動軸心とを結ぶ直線とが成す角が鋭角となる範囲を、
前記第２シャッタの回動軸心を中心とする円弧形状に形成した、ことを特徴とする請求項１記載のディスクカートリッジ。
【請求項４】
前記第１シャッタと第２シャッタとの互いの突き当て端は、全長に亘り前記第２シャッタの回動軸心を中心とする円弧形状に形成されている、ことを特徴とする請求項１記載のディスクカートリッジ。
【発明の詳細な説明】
【技術分野】
【０００１】
本発明は、情報や映像の記録再生媒体として用いられる円板状のディスクメディアをケース内に回転可能に収容したディスクカートリッジに関する。
【背景技術】
【０００２】
例えば、可搬性を有するコンピュータ用の記録再生媒体や映像の記録再生媒体として、光ディスクや光磁気ディスク等の円板状のディスクメディアが用いられている。このようなディスクメディアは、記録または再生を行なう際には、ディスクドライブ装置に装填された状態でスピンドル軸によって回転されつつ、記録ヘッドによって記録層へレーザ光、またはレーザ光及び磁場の両者が照射される。これにより、ディスクメディアでは、記録層の分解及び／または昇温によるピット形成や相変化、磁化反転等によって情報の記録が為され、またはレーザ光の反射率や偏光角を該再生ヘッドで読み取って記録された情報の再生が行なわれるようになっている。
【０００３】
このようなディスクメディアの高記録容量化に伴い、ディスクメディアの記録層（記録層を被覆するカバー層）への塵埃等の付着を防止するために、ディスクメディアをケースの収容部内に収容したディスクカートリッジが知られている（例えば、特許文献１参照）。このようなディスクカートリッジでは、ケースにおけるディスクメディアの記録層側に、ディスクメディアのセンタ孔及び記録層側にアクセスするためのチャッキング開口部及びヘッド開口部が設けられている。これらの開口は、インナロータによって駆動される一対のシャッタによって開閉されるようになっている。
【０００４】
また、ケースにおけるディスクメディアに対しチャッキング開口部及びヘッド開口部とは反対側に、ディスクメディアの出し入れを可能とする開口部を設けたディスクカートリッジが知られている（例えば、特許文献２参照）。このディスクカートリッジでは、上記開口部を設けると共に、インナロータを含む一対のシャッタを同一平面で動作させることにより、薄型化を図るようになっている。このディスクカートリッジのシャッタ機構について、図７に基づいて説明する。
【０００５】
図７に示すディスクカートリッジ１００は、ケース１０２の底板１０２Ａにディスクメディア（図示省略）のセンタ孔にアクセスするためのチャッキング開口部１０４、ドライブ装置のヘッドが記録面にアクセスするためのヘッド開口部１０６がそれぞれ設けられている。このケース１０２内におけるディスクメディアと底板１０２Ａとの間には、ディスクメディアと同軸的に回動可能な第１シャッタ１０８と、ケース１０２におけるディスクメディアの径方向外側に回動軸１１２を有する第２シャッタ１１０とが設けられている。
【０００６】
第１シャッタ１０８と第２シャッタ１１０とは、図７（Ａ）に示す如く互いの突き当て端である当接端面１０８Ａ、１１０Ａを突き当ててヘッド開口部１０６を閉塞し、チャッキング開口部１０４については常時開放状態を維持する。そして、第１シャッタ１０８を矢印Ｇ方向に回動すると共に第２シャッタ１１０をヘッド開口部１０６に対し矢印Ｇとは略反対の矢印Ｈ方向に回動することで、図７（Ｂ）に示される如く、ヘッド開口部１０６が開放される。
【０００７】
第１シャッタ１０８と第２シャッタ１１０との互いの当接端面１０８Ａ、１１０Ａは直線とされている。そして、このディスクカートリッジ１００では、当接端面１１０Ａが当接端面１０８Ａに対し鋭角的な相対移動の軌跡を描きつつ接離する構成であるため、第２シャッタ１１０の回動軸１１２の軸心と当接端面１１０Ａにおける閉塞方向先頭側の端部Ｚとを結ぶ直線Ｌ４（図７（Ａ）参照）と、当接端面１１０Ａとが成す角θが鋭角であると、ヘッド開口部１０６の閉塞状態では、第１シャッタ１０８が矢印Ｇ方向に所定距離以上回動するまで第２シャッタ１１０が矢印Ｈ方向に動くことができない。
【０００８】
この対策として、本特許文献２記載の構成では、上記角θを鈍角としている。このため、第１シャッタ１０８の当接端面１０８Ａは、図７（Ｂ）に示すヘッド開口部１０６の開放状態で、ヘッド開口部１０６のドライブ装置への装填方向Ａに沿う縁部１０６Ａよりも大きく開いた位置となるように、該ヘッド開口部１０６の縁部１０６Ａに対し傾斜している。すなわち、第１シャッタ１０８の切欠きをヘッド開口部１０６に対し大きくしている。
【０００９】
したがって、この構成では、第１シャッタ１０８の切欠きを大きな面積とした分だけ第２シャッタ１１０のサイズが大きくなり、この第２シャッタ１１０をヘッド開口部１０６の開放状態でケース１０２内の限られた空間内に収容することが困難であった。換言すれば、ヘッド開口部１０６の幅を広げて大型化することが困難であった。
【００１０】
さらに、一対のシャッタを同一平面で動作させる別のシャッタ機構を有するディスクカートリッジも知られている（例えば、特許文献３参照）。図示は省略するが、この構成では、第２シャッタの回動軸心は、上記ディスクカートリッジ１００の第２シャッタの回動軸１１２が紙面左側に位置するのに対し、これとは左右反対側である右側に位置する如く構成されている。したがって、第２シャッタとの当接端面が第１シャッタの当接端面に対し鈍角的な相対移動の軌跡を描きながら接離するようになっている。このため、本従来の構成では、第２シャッタの動作が第１シャッタに干渉してしまうことがない。しかしながら、この構成では、第２シャッタによるヘッド開口部の閉塞部位と回動軸心とが遠いため、第２シャッタが大きく（長く）なってしまう。また、第１シャッタと第２シャッタとを連動するカム機構を第１シャッタの回動軸心近傍に配置しなければらず、ヘッド開口部の開閉に大きな力が必要となり、第１及び第２シャッタをスムースに動作させることが困難であった。
【特許文献１】特開２００３−１１５１８４号公報
【特許文献２】特開２００３−２４２７４０号公報
【特許文献３】特開２００２−２６９９４４号公報
【発明の開示】
【発明が解決しようとする課題】
【００１１】
本発明は、上記事実を考慮して、第２シャッタを大型化することなくヘッド開口部をスムースに開閉することができるディスクカートリッジを得ることが目的である。
【課題を解決するための手段】
【００１２】
上記目的を達成するために請求項１記載の発明に係るディスクカートリッジは、円板状に形成されたディスクメディアを回転可能に収容する収容部と、前記収容部における前記ディスクメディアの記録面側に設けられドライブ装置のヘッドが前記記録面にアクセスするためのヘッド開口部とを有するケースと、前記ケースに前記ディスクメディアと同軸的な回動可能に設けられた第１シャッタと、前記第１シャッタとは異なる軸廻りに回動可能な第２シャッタとを有し、前記第１シャッタと第２シャッタとが互いに端部を突き当てて前記ヘッド開口部を閉塞し、前記第１シャッタと第２シャッタとが前記ヘッド開口部に対し互いに反対方向に回動して該ヘッド開口部を開放するシャッタ機構と、を備え、前記ヘッド開口部の閉塞状態における前記第１シャッタと第２シャッタとの互いの突き当て端が、前記第２シャッタの回動軸心を中心とする円弧形状の部分を有する、ことを特徴としている。
【００１３】
請求項１記載のディスクカートリッジでは、ディスクメディアと同軸的な回動可能な第１シャッタと、第１シャッタとは異なる回動軸心廻りに回動可能な第２シャッタとが、互いの突き当て端を突き当てるそれぞれの回動位置に位置する状態で、ヘッド開口部が閉塞される。また、第１シャッタと第２シャッタとがヘッド開口部に対し互いに反対側に回動することで、ヘッド開口部が開放される。
【００１４】
ここで、第１シャッタと第２シャッタとは、ヘッド開口部を閉塞する位置に位置する状態で、互いの突き当て端に第２シャッタの回動軸心を中心とする円弧形状の部分を有するため、第１シャッタの回動位置に依らず第２シャッタの上記軸心廻りの回動を可能とすることができる。すなわち、第２シャッタを第１シャッタに干渉することなくスムースに回動させることが可能となる。これにより、第１シャッタと第２シャッタとによってヘッド開口部を確実に開閉する機能を維持しつつ、第１シャッタと第２シャッタとの突き当て端を直線状に形成して上記効果を得る場合と比較して第２シャッタを小型化することができる。
【００１５】
このように、請求項１記載のディスクカートリッジでは、第２シャッタを大型化することなくヘッド開口部をスムースに開閉することができる。また、第１シャッタの動作タイミングとは独立して第２シャッタの動作タイミングを設定することが可能となり、設計の自由度が向上する。
【００１６】
請求項２記載の発明に係るディスクカートリッジは、請求項１記載のディスクカートリッジにおいて、前記第１シャッタと第２シャッタとの互いの突き当て端は、該突き当て端が仮想直線であると仮定した場合に、該仮想直線と前記第２シャッタの回動軸心とを結ぶ直線と、該仮想直線とが成す角が鋭角となる範囲を、前記第２シャッタの回動軸心を中心とする円弧形状に形成した、ことを特徴としている。
【００１７】
請求項２記載のディスクカートリッジでは、第１シャッタと第２シャッタとの突き当て端が仮に仮想的な直線であるとした場合に、この仮想直線と、該仮想直線と第２シャッタの回動軸心とを結ぶ直線との成す角が鋭角（９０°未満）である範囲を、上記第２シャッタの回動軸心を中心とする曲率半径を有する円弧状に形成している。すなわち、上記仮想直線は、該仮想直線と第２シャッタの回動軸心とを結ぶ直線との成す角度が直角となる点を境として、一方側の任意の点と第２シャッタの回動軸心とを結ぶ直線に対し鋭角となる。
【００１８】
そして、それぞれヘッド開口部を閉塞する位置にある第１シャッタ及び第２シャッタの互いの突き当て端は、上記法線に対する一方側の全範囲、すなわち、上記法線に対しヘッド開口部を閉塞する第２シャッタ回動方向側の部分を上記円弧形状としている。これにより、第２シャッタは、第１シャッタの回動位置に依らず、確実に回動してヘッド開口部を開閉することができる。したがって、第１シャッタと第２シャッタとは、互いの動作タイミングに拘わらず互いに全く干渉することなくスムースに動作してヘッド開口部を開閉する。
【００１９】
請求項３記載の発明に係るディスクカートリッジは、請求項１記載のディスクカートリッジにおいて、前記第１シャッタと第２シャッタとの互いの突き当て端は、前記第１シャッタの突き当て端が前記ヘッド開口部の開放状態で該ヘッド開口部の縁部に沿う仮想直線であると仮定した場合に、該仮想直線と、該仮想直線と前記第２シャッタの回動軸心とを結ぶ直線とが成す角が鋭角となる範囲を、前記第２シャッタの回動軸心を中心とする円弧形状に形成した、ことを特徴としている。
【００２０】
請求項３記載のディスクカートリッジでは、第１シャッタにおける第２シャッタとの突き当て端が、ヘッド開口部の開放位置に位置するときに該ヘッド開口部の縁部に沿う（略い一致する）仮想直線であると仮定した場合に、この仮想直線と、該仮想直線と第２シャッタの回動軸心とを結ぶ直線との成す角が鋭角（９０°未満）である範囲を、上記第２シャッタの回動軸心を中心とする曲率半径を有する円弧状に形成している。すなわち、上記仮想直線は、該仮想直線と第２シャッタの回動軸心とを結ぶ直線との成す角度が直角となる点を境として、一方側の任意の点と第２シャッタの回動軸心とを結ぶ直線に対し鋭角となる。
【００２１】
そして、それぞれヘッド開口部を閉塞位置にある第１シャッタ及び第２シャッタの互いの突き当て端は、上記法線に対する一方側の全範囲、すなわち、該法線に対しヘッド開口部を閉塞する第２シャッタ回動方向側の部分を上記円弧形状としている。これにより、第２シャッタは、第１シャッタの回動位置に依らず、確実に回動してヘッド開口部を開閉することができる。したがって、第１シャッタと第２シャッタとは、互いの動作タイミングに拘わらず互いに全く干渉することなくスムースに動作してヘッド開口部を開閉する。
【００２２】
また、第１シャッタの突き当て端がヘッド開口部の開放状態で該ヘッド開口部の縁部（上記仮想直線）に対し上記円弧形状の分だけ凹となるため、突き当て端を直線としつつ該直線が全長に亘り第２シャッタの回動軸心と結ぶ直線との成す角を鈍角とする構成と比較して、第２シャッタのサイズを小さくすることができ、また上記突き当て端を直線とする構成と比較すれば第２シャッタを大幅に小サイズ化することができる。
【００２３】
請求項４記載の発明に係るディスクカートリッジは、請求項１記載のディスクカートリッジにおいて、前記第１シャッタと第２シャッタとの互いの突き当て端は、全長に亘り前記第２シャッタの回動軸心を中心とする円弧形状に形成されている、ことを特徴としている。
【００２４】
請求項４記載のディスクカートリッジでは、第１シャッタと第２シャッタとの突き当て端が全長に亘り上記円弧状に形成されているため、第２シャッタは、第１シャッタの回動位置に依らず、確実に回動してヘッド開口部を開閉することができる。したがって、第１シャッタと第２シャッタとは、互いの動作タイミングに拘わらず互いに全く干渉することなくスムースに動作してヘッド開口部を開閉する。また、突き当て端を直線としつつ該直線が全長に亘り第２シャッタの回動軸心と結ぶ直線との成す角を鈍角とする構成と比較して、第２シャッタのサイズを小さくすることができ、上記突き当て端を直線とする構成と比較すれば第２シャッタを大幅に小サイズ化することができる。
【発明の効果】
【００２５】
以上説明したように本発明に係るディスクカートリッジは、第２シャッタを大型化することなくヘッド開口部をスムースに開閉することができるという優れた効果を有する。
【発明を実施するための最良の形態】
【００２６】
本発明の一実施形態に係るディスクカートリッジ１０について、図１乃至図６に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００２７】
図１には、ディスクカートリッジ１０の外観形状が斜視図にて示されており、図２にはディスクカートリッジ１０が分解斜視図にて示されている。これらの図に示される如く、ディスクカートリッジ１０は、円板状に形成された情報記録再生媒体としてのディスクメディア１２を回転可能に収容するケース１４と、ケース１４の下面で開口し記録再生ヘッドがディスクメディア１２の記録面にアクセスするためのヘッド開口部１６を開閉するシャッタ機構１８と、ケース１４の上側に開口し該ケース１４に対するディスクメディア１２の出し入れを可能とするディスク開口部２０からのディスクメディア１２の脱落を防止するためのディスク保持機構２２とを主要構成要素として構成されている。なお、図１ではディスクメディア１２の図示を省略している。
【００２８】
先ず、ディスクカートリッジ１０の概略全体構成を説明し、その後、本発明の要部であるシャッタ機構１８におけるシャッタ突き当て部の詳細構成を説明することとする。
【００２９】
［ディスクカートリッジの全体構成］
（ディスクメディアの構成）
ディスクカートリッジ１０に収容されるディスクメディア１２は、上記の通り円板状に形成されている。ディスクメディア１２の軸心部には、ディスクドライブ装置の回転スピンドル軸にチャッキング（係合保持）されるセンタ孔１２Ａが設けられている。また、ディスクメディア１２の下面は、記録面がカバー層（何れも図示省略）にて被覆保護されて構成されている。記録面は、ディスクメディア１２の下面における外周近傍及びセンタ孔１２Ａ周りの所定範囲を除く部分に環状に形成されている。ディスクメディア１２の下面におけるセンタ孔１２Ａの孔縁と記録面の内縁との間の領域は、ドライブ装置の回転スピンドル軸がディスクメディア１２を保持するためのチャッキングエリアとされている。本実施形態では、ディスクメディア１２の直径（外径）は略１２０ｍｍとされている。
【００３０】
（ケースの構成）
ケース１４は、上シェル２４と下シェル２６とを接合して平面視で略矩形の扁平容器状に構成されている。具体的には、ケース１４は、平面視で前縁部が左右略対称の円弧状に形成されると共に後端が左右方向に沿う直線状に形成されており、この形状によってドライブ装置への誤装填を防止するようになっている。
【００３１】
上シェル２４は、平面視でケース１４の形状に対応した形状の天板２８と、天板２８の外縁に略沿って下方に立設された外周壁３０とを備えている。天板２８には、平面視で略円形のディスク開口部２０が設けられており、ディスク開口部２０の内径はディスクメディア１２の外径よりも大とされている。これにより、ディスク開口部２０を通してディスクメディア１２のケース１４への出し入れ（挿脱）が可能とされている。また、上シェル２４は、ディスク開口部２０の縁部に沿って下方に立設された環状の内周壁３２を備えている。
【００３２】
また、天板２８における後端側でかつ内周壁３２の径方向外側の２箇所には、後述するディスク押え部材８４取付用の切欠部３４が設けられている。さらに、天板２８における右側の切欠部３４の右側には、後述するロック部材８８を操作するための左右方向に長手のロック操作窓３６が設けられている。一方、外周壁３０におけるケース１４の右側の側壁を構成する部分の前後方向中央部には、前後方向に長手とされると共に下方に開口するコ字状の縁部を有する切欠部３０Ａが形成されている。
【００３３】
下シェル２６は、天板２８に略対応した形状の底板３８と、外周壁３０に略対応した形状の外周壁４０とを備えている。底板３８には、ディスクメディア１２のセンタ孔１２Ａに対応する略円形のチャッキング開口部４２と、上記ヘッド開口部１６とが連通して設けられている。以下の説明では、チャッキング開口部４２とヘッド開口部１６とをまとめてアクセス開口４４という場合がある。ヘッド開口部１６は、チャッキング開口部４２の径方向に長手の略矩形状に形成されており、チャッキング開口部４２の前側に連設されている。したがって、アクセス開口４４が形成する底板３８の切欠き縁は、前方に開口する略Ｕ字状に形成されている。また、ヘッド開口部１６は、外周壁４０における前部の左右方向中央部を全高に亘り切り欠いて構成されている。
【００３４】
外周壁４０は、その上端（開口端）を上シェル２４の外周壁３０の下端（開口端）に突き当ててケース１４の周壁を構成するようになっている。この外周壁４０における上シェル２４の切欠部３０Ａに対応する位置には、前後方向に長手とされると共に上方に開口するコ字状の縁部を有する切欠部４０Ａが形成されている。外周壁３０と外周壁４０とが互いに開口端を突き当てた状態では、切欠部３０Ａと切欠部４０Ａとがケース１４の右側の側面にシャッタ操作窓４６（図１参照）を形成するようになっている。シャッタ操作窓４６は、後述するインナロータ６０の操作突起６６露出用とされている。
【００３５】
また、下シェル２６は、チャッキング開口部４２と同軸的な円周に沿って底板３８から部分的に立設された内壁４８を備えている。内壁４８は、その内面を結ぶ仮想円の内径が上シェル２４の内周壁３２の外径よりも大とされており、上シェル２４と下シェル２６との接合状態で内周壁３２との間に隙間が形成されるようになっている。この隙間にインナロータ６０の環状壁部６２（後述）を入り込ませる構成である。そして、底板３８と内壁４８と上シェル２４の内周壁３２とが、ケース１４内においてディスクメディア１２を収容する収容部としてのディスク収容部５０（図１参照）を形成するようになっている。このディスク収容部５０は、上記の通りディスク開口部２０を通じてディスクメディア１２の出し入れが可能とされている。
【００３６】
さらに、底板３８における左後の角部近傍からは、支軸５２が突設されている。支軸５２の軸心は、内壁４８の外面に沿う円周の外側すなわちディスク収容部５０の外側に位置している。本実施形態では、支軸５２は、その内部が底板３８の外面に開口する基準孔５２Ａとされた円筒状に形成されている。底板３８における右後の角部近傍からは、基準孔５２Ａと対を成し左右方向に長手とされた基準孔５３Ａが設けられた突条５３が設けられている。また、底板３８の後部における内壁４８の径方向外側からは、左右一対の軸受部５４が突設されており、ディスク押え部材８４の軸支持用とされている。
【００３７】
さらにまた、底板３８の左端近傍における前後方向略中央部には、前後一対の凹部５６Ａ、５６Ｂが設けられている。凹部５６Ａ、５６Ｂは、それぞれインナロータ６０のカム突起７２（後述）の移動軌跡の始端、終端を含むように、かつ互いに離間して配置されている。さらに、底板３８の左前の角部近傍には、一対のガイドピン５８が突設されている。一対のガイドピン５８は、内壁４８と同軸的かつ内壁４８よりも大径の仮想円周上に配置されており、後述するディスク受け部材８２のガイド用とされている。
【００３８】
以上説明した下シェル２６は、外周壁４０の上端面を外周壁３０の下端面に突き当てた状態で、ビス止めによって上シェル２４に接合されてケース１４を構成している。なお、上シェル２４と下シェル２６とは、ビス止めに代えて、例えば外周壁３０、４４を超音波溶着や接着等によって接合しても良い。
【００３９】
（シャッタ機構の構成）
シャッタ機構１８は、ケース１４内に設けられている。具体的には、シャッタ機構１８は、ケース１４内に配設されたインナロータ６０を備えている。インナロータ６０は、短円筒状に形成された環状壁部６２を備えている。環状壁部６２は、上記の通り、上シェル２４の内周壁３２と下シェル２６の内壁４８との間の隙間に摺動可能に入り込んでいる。これにより、インナロータ６０は、ケース１４に対するディスク収容部５０（に収容されるディスクメディア１２）と同軸的に回動可能とされている。
【００４０】
環状壁部６２の下端内側には、平板状の第１シャッタ６４が一体的に設けられている。第１シャッタ６４は、環状壁部６２と同軸同径の円板に、アクセス開口４４と略同形状の切欠部６５Ａと、後述する第２シャッタ７４の内周ディスク受け部（円弧リブ）８０の相対移動軌跡に対応した切欠部６５Ｂとを設けた形状とされている。また、環状壁部６２には、切欠部６５Ａの径方向外端に連続し縁部の形状が下方に開口する略コ字状の切欠部６２Ａが形成されている。この切欠部６２Ａが下シェル２６の外周壁４０が切欠かれた部分と一致することで、記録再生用ヘッドがディスクカートリッジ１０の前方からアクセスすることを許容する構成とされている。
【００４１】
この第１シャッタ６４は、下シェル２６の底板３８（ディスク収容部５０）上に摺動可能に載置されており、インナロータ６０の回動に伴ってヘッド開口部１６の外周側及び内周側の一部を閉塞する閉塞位置（図３参照）と、ヘッド開口部１６上から退避する開放位置（図６参照）とを取り得るようになっている。すなわち、開放位置に位置する第１シャッタ６４は、その切欠部６５Ａをアクセス開口４４上に略一致して位置させるようになっている。
【００４２】
そして、環状壁部６２の外周面からは、ケース１４のシャッタ操作窓４６から外部に露出される操作突起６６が突設されている。操作突起６６は、第１シャッタ６４が閉塞位置に位置するときにはシャッタ操作窓４６の前端に位置し、第１シャッタ６４が開放位置に位置するときにはシャッタ操作窓４６の後端に位置するように配置されている。
【００４３】
また、第１シャッタ６４の上面からは、切欠部６５Ａにおけるチャッキング開口部４２に対応する縁部に沿って円弧状に形成された内周受け凸部６８が立設されている。この内周受け凸部６８上にディスクメディア１２の上記チャッキングエリアの下面が当接するようになっている。したがって、第１シャッタ６４は、底板３８とディスクメディア１２との間に配置されてヘッド開口部１６の一部を開閉するようになっている。
【００４４】
一方、第１シャッタ６４の上面における外周近傍からは、環状壁部６２の内面とに跨がるように外周受け凸部７０が立設されている。外周受け凸部７０は、内周受け凸部６８と略同じ高さとされており、ディスクメディア１２の下面における記録領域よりも径方向外側の領域が当接するようになっている。これにより、第１シャッタ６４は、閉塞位置に位置するときには内周受け凸部６８及び外周受け凸部７０において、ディスクメディア１２を下方から支持する構成とされている。
【００４５】
さらに、第１シャッタ６４の下面における外周近傍からは、下シェル２６側に向けてカム突起７２が突設されている。カム突起７２は、切欠部６５Ｂの径方向外側に配置されており、第２シャッタ７４のカム溝７８（後述）に常に入り込むようになっている。
【００４６】
また、シャッタ機構１８は、第１シャッタ６４が閉塞位置に位置するときにヘッド開口部１６の残余の一部（内周側の一部）を閉塞する第２シャッタ７４を備えている。第２シャッタ７４は、平板状に形成されており、底板３８と摺動するようになっている。このため、第１シャッタ６４における第２シャッタ７４の移動領域と干渉する部分、具体的には主に切欠部６５Ｂの径方向外側部分は、他の部分よりも薄肉とされている。すなわち、第２シャッタ７４は、第１シャッタ６４におけるヘッド開口部１６を閉塞する部分よりも薄肉とされている。
【００４７】
この第２シャッタ７４は、長板状に形成されており、長手方向の一端部に下シェル２６の支軸５２に回動自在に軸支されるボス部７６を備えている。これにより、第２シャッタ７４は、支軸５２廻りの回動によって、ヘッド開口部１６の内周側の一部を閉塞する閉塞位置（図３参照）と、ヘッド開口部１６上から退避する開放位置（図６参照）とを取り得るようになっている。図１及び図３に示される如く、第１シャッタ６４と第２シャッタ７４とは、それぞれ閉塞位置に位置する状態では、互いの当接端面６４Ａ、７４Ａを突き当ててヘッド開口部１６を完全に閉塞する構成である。なお、この当接端面６４Ａ、７４Ａの形状については後述する。
【００４８】
そして、第１シャッタ６４は、インナロータ６０の軸心廻りに図３に示す矢印Ｄ方向に回動することで閉塞位置から開放位置側へ移動し、第２シャッタ７４は、支軸５２廻りにヘッド開口部１６に対し矢印Ｄとは略反対向きの矢印Ｅ方向に回動することで閉塞位置から開放位置側へ移動する構成とされている。また、これらの第１シャッタ６４と第２シャッタ７４とは互いに連動するようになっている。具体的には、第２シャッタ７４には長手方向に略沿うカム溝７８が設けられており、このカム溝７８には第１シャッタ６４のカム突起７２が入り込んでいる。
【００４９】
これにより、ヘッド開口部１６の閉塞状態で、インナロータ６０の操作突起６６が後方に移動して第１シャッタ６４が矢印Ｄ方向に回動すると、矢印Ｄ方向に回動（公転）するカム突起７２がカム溝７８の溝壁を押圧することで第２シャッタ７４が矢印Ｅ方向に回動するようになっている。カム突起７２は、ヘッド開口部１６の閉塞状態ではカム溝７８における支軸５２側の端部近傍に位置しており、図４及び図５に示される如くインナロータ６０の矢印Ｄ方向への回動に伴って支軸５２から離間するよう相対移動する構成である。
【００５０】
そして、本実施形態では、図５に示す如く、第２シャッタ７４が第１シャッタ６４よりも先に開放位置に達するようになっており、その後の第２シャッタ７４の矢印Ｅ方向への回動を防止しつつ第１シャッタの矢印Ｄ方向の回動を担保するために、カム溝７８の支軸５２側と反対側の端部は、第２シャッタ７４が開放位置に位置するときにカム突起７２の移動軌跡に一致する円弧状に形成されている。これにより、第１シャッタ６４は、第２シャッタ７４と干渉することなく図５に示す回動位置から図６に示す開放位置へ移動するようになっている。また、シャッタ機構１８では、ヘッド開口部１６の開放状態からインナロータ６０を矢印Ｄと反対方向に回動することで、図５及び図４に示す状態を経て図３に示すヘッド開口部１６の閉塞状態に復帰する構成である。
【００５１】
また、図１及び図２に示される如く、第２シャッタ７４の上面からは、ヘッド開口部１６を閉塞した状態で第１シャッタ６４の内周受け凸部６８とで環状を成す円弧状の内周受け凸部８０が突設されている。第２シャッタ７４における内周受け凸部８０の外側（径方向内側）は、切欠部７４Ｂ（図２参照）とされている。したがって、第１シャッタ６４及び第２シャッタ７４が共に閉塞位置に位置する状態で、チャッキング開口部４２は完全に開放される構成とされている。換言すれば、チャッキング開口部４２は、常に開放されてディスク開口部２０と連通する構成である。
【００５２】
内周受け凸部８０は、ヘッド開口部１６を閉塞した状態で、その上面を内周受け凸部６８の上面と略面一とし、ディスクメディア１２の下面におけるチャッキングエリアの残余の一部に下方から接する（下側から支持する）構成である。このため、ディスクメディア１２の下面すなわち記録面側には、常に開放されるチャッキング開口部４２を経由して塵芥等が侵入することがない構成とされている。
【００５３】
そして、シャッタ機構１８では、インナロータ６０が矢印Ｄ方向に回動すると、下シェル２６の凹部５６Ａに入り込んでいたカム突起７２が該凹部５６Ａから抜け出し、第１シャッタ６４が持ち上がって第２シャッタ７４よりも上側に位置するようになっている。これにより、ヘッド開口部１６の開放動作の初期に第２シャッタ７４の内周受け凸部８０がディスクメディア１２の下面から離間し、矢印Ｅ方向に回動する第２シャッタの内周受け凸部８０がディスクメディア１２の記録面に接触してしまうことが防止される構成である。また、第１シャッタ６４に切欠部６５Ｂが設けられていることにより、第２シャッタ７４の内周受け凸部８０が第１シャッタ６４に干渉することがない構成とされている。
【００５４】
また、開放位置まで移動した第１シャッタ６４のカム突起７２は、凹部５６Ｂに入り込んで第１シャッタ６４を底板３８上に載置する状態に復帰させ、ディスクメディア１２を底板３８と略平行な状態に復帰させるうようになっている。これにより、ディスクメディア１２のドライブ装置の回転スピンドル軸による確実なチャッキングが可能となると共に、回転するディスクメディア１２が第１シャッタ６４に干渉することが防止される構成である。なお、ヘッド開口部１６の開放状態から閉塞状態への移行過程では、上記説明の逆の動作が行なわれるようになっている。
【００５５】
さらに、シャッタ機構１８は、ディスク受け部材８２を備えている。ディスク受け部材８２は、第１シャッタ６４及び第２シャッタ７４がヘッド開口部１６を閉塞した状態で、第１シャッタ６４の切欠部６５Ａの径方向外端において切欠かれた外周受け凸部７０の周方向端部間を架け渡すディスク外周受け部８２Ａを備えている。すなわち、ディスク外周受け部８２Ａは、閉塞位置に位置する第１シャッタ６４の外周受け凸部７０とで環状を成すと共に、この状態で上面が外周受け凸部７０の上面と略面一とされ、ディスクメディア１２の下面における記録面よりも径方向外側部分の残余の一部に下方から接する（下側から支持する）構成である。これにより、ディスクメディア１２の下面すなわち記録面側には、ディスク開口部２０を経由して塵芥等が侵入することがない構成とされている。
【００５６】
このディスク受け部材８２は、下シェル２６の一対のガイドピン５８によって上下動可能に支持されており、インナロータ６０が矢印Ｄ方向に回動する動作に伴って下降し、矢印Ｄ方向に回動する外周受け凸部７０と干渉しない構成とされている。詳細は省略するが、ディスク外周受け部８２Ａ及び外周受け凸部７０の対応する周方向端部が上下に重なり合うテーパ状に形成されており、インナロータ６０の矢印Ｄ方向の回動によってディスク外周受け部８２Ａを外周受け凸部７０の下側に潜り込ませる構成とされている。なお、ヘッド開口部１６の開放状態から閉塞状態への移行過程では、上記説明の逆の動作が行なわれるようになっている。
【００５７】
（ディスク保持機構の構成）
ディスク保持機構２２は、ディスク押え部材８４を備えている。ディスク押え部材８４は、下シェル２６の一対の軸受部５４にそれぞれ回動自在に軸支される一対の支軸部８４Ａと、一対の支軸部８４Ａと一体に形成された左右方向に長手のアーム部８４Ｂとを備えて構成されている。また、アーム部８４Ｂには、ディスクメディア１２の上面に当接する左右一対のディスク当接部８４Ｃが設けられている。ディスク当接部８４Ｃは、樹脂材等にて一体成形される支軸部８４Ａ及びアーム部８４Ｂに対し、別部材であるゴム等にて構成することができる。
【００５８】
ディスク押え部材８４は、支軸部８４Ａ周りの回動によって、アーム部８４Ｂをディスク収容部５０（ディスク開口部２０）内に張り出してディスク当接部８４Ｃをディスクメディア１２の上面に当接させるディスク押え位置と、アーム部８４Ｂをディスク収容部５０内に張り出しつつディスク当接部８４Ｃをディスクメディア１２の上面から離間させるディスク回転許容位置と、アーム部８４Ｂをディスク収容部５０から退出させるディスク挿脱可能位置とを選択的に取り得る構成とされている。
【００５９】
また、図２に示される如く、ディスク保持機構２２は、ディスク押え部材８４をディスク押え位置側に付勢するディスク押えばね８６と、ケース１４内に左右方向のスライドのみ可能に設けられ操作突起８８Ａをロック操作窓３６から露出させたロック部材８８とを備えている。ディスク押えばね８６は、捩りコイルばねとされており、一端部がアーム部８４Ｂに係止されると共に他端部がロック部材８８の係合突起８８Ｂに係合している。これにより、ディスク押え部材８４は、通常はディスク押えばね８６の付勢力によってディスク押え位置に位置し、ディスクメディア１２を保持する構成である。
【００６０】
このディスク押え部材８４は、第１シャッタ６４がヘッド開口部１６を開放する動作に伴ってディスク押え位置からディスク回転許容位置に移動するようになっている。具体的には、インナロータ６０の環状壁部６２には、他の部分よりも壁高が高い部分が設けられており（図示省略）、該部分がインナロータ６０の矢印Ｄ方向への回動に伴ってアーム部８４Ｂを切欠部３４内において上方に持ち上げることで、ディスク押え部材８４をディスク押え位置からディスク回転許容位置に移動させる構成である。そして、ヘッド開口部１６が開放されている状態で、ディスク押え部材８４がディスク回転許容位置に位置する状態が維持されるようなっている。これにより、ディスク押え部材８４が回転するディスクメディア１２に干渉することが防止される構成である。
【００６１】
また、ロック部材８８は、操作突起８８Ａがロック操作窓３６の左端に位置するときにはディスク押えばね８６の他端部に係合するが、操作突起８８Ａがロック操作窓３６の右端に位置するときにはディスク押えばね８６の他端部との係合が解除されるようになっている。したがって、操作突起８８Ａを操作してロック部材８８を右方に移動させることで、ディスク押え部材８４にはディスク押えばね８６の付勢力が作用しなくなる。この状態でディスク押え部材８４を人手によってディスク挿脱可能位置に移動すれば、ディスク押え部材８４から手を離してもディスク押え部材８４がディスク押え位置に復帰してしまうことがなく、ディスクメディア１２のディスク収容部５０への挿入、取り出し（離脱）、取替え等を容易に行なうことができる構成である。
【００６２】
［シャッタの突き当て部の構成］
図３に示される如く、第２シャッタ７４における第１シャッタ６４の当接端面６４Ａとの突き当て端である当接端面７４Ａは、平面視で円弧状に形成されている。より具体的には、当接端面７４Ａは、第２シャッタ７４の回動軸心である支軸５２（ボス部７６）の軸心を中心とする曲率半径を有する円弧とされている。また、第１シャッタ６４における切欠部６５Ａの縁部であり当接端面７４Ａとの突き当て端である当接端面６４Ａは、ヘッド開口部１６の閉塞状態で当接端面７４Ａに一致する平面視で円弧状に形成されている。
【００６３】
このように当接端面６４Ａ、７４Ａが上記円弧形状とされていることにより、第１シャッタ６４と第２シャッタ７４とは、当接端面６４Ａ、７４Ａを隙間なく突き当ててヘッド開口部１６を閉塞する機能を維持しつつ、スムースかつ確実にヘッド開口部１６を開閉する構成とされている。
【００６４】
ここで、図３に示す仮想直線Ｌ１は、第１シャッタ６４が開放位置に位置するときに、当接端面６４Ａがヘッド開口部１６の右側の縁部１６Ａと略一致すると仮定した場合の該当接端面６４Ａに相当する。この仮想直線Ｌ１が本発明における仮想直線に相当する。また、仮想直線Ｌ２は、支軸５２の軸心を通る仮想直線Ｌ１の法線である。この図から、仮想直線Ｌ１における仮想直線Ｌ２よりも矢印Ｅとは反対の矢印Ｆ側（第２シャッタ７４の閉塞位置への移動側）では、該仮想直線Ｌ１上の任意の点と支軸５２の軸心とを結ぶ線が該仮想直線Ｌ１と成す角が鋭角（９０°未満）となることがわかる。このため、当接端面６４Ａ、７４Ａを仮想直線Ｌ１に一致させて構成すると、第１シャッタ６４が先に矢印Ｄ方向に移動しない限り、第２シャッタ７４は矢印Ｅ方向へ回動することができない。同様に、第１シャッタ６４が閉塞位置に位置する状態では、第２シャッタ７４は開放位置側から閉塞位置へ回動することができない。
【００６５】
一方、本実施形態では、当接端面６４Ａ、７４Ａが上記円弧形状とされているため、第１シャッタ６４の位置に依存することなく、第２シャッタ７４の矢印Ｅ方向または矢印Ｆ方向への回動が可能となる構成である。したがって、当接端面６４Ａ、７４Ａの全範囲を上記円弧形状とする必要はなく、少なくとも仮想直線Ｌ２から矢印Ｆの側部分を上記円弧形状とすれば良い。なお、当接端面６４Ａ、７４Ａにおける仮想直線Ｌ２よりも矢印Ｅ側部分は、例えば、仮想直線Ｌ２との成す角が９０°以上となる直線状に形成することができる。当接端面６４Ａ、７４Ａは、如何なる形状に形成しても、ヘッド開口部１６閉塞状態における矢印Ｅ側端部が該ヘッド開口部１６の左縁１６Ｂよりも僅かに左方に位置してケース１４内に入り込んでいれば良い。
【００６６】
以上により、図６に示される如く、第１シャッタ６４の切欠部６５Ａにおける当接端面６４Ａ側の縁部（ヘッド開口部１６に対応する部分の右縁）は、円弧状に形成された当接端面６４Ａを除き、開放位置に位置するときにヘッド開口部１６の右縁に略一致する構成とされている。また、第１シャッタ６４及び第２シャッタ７４が共に閉塞位置に位置する状態では、内周受け凸部８０の端面が内周受け凸部６８の端面に突き当たることによって、第２シャッタ７４の矢印Ｆ方向への回動が規制されるようになっている。
【００６７】
なお、図３乃至図６では、理解を容易にするために、第１シャッタ６４及び第２シャッタ７４の動作の説明に必要な部分以外の部分（例えば、ディスクメディア１２、ディスク保持機構２２、上シェル２４等）の図示を省略している。
【００６８】
次に、本実施形態の作用を説明する。
【００６９】
上記構成のディスクカートリッジ１０では、保管時や運搬時等の不使用時には第１シャッタ６４、第２シャッタ７４がそれぞれ閉塞位置に位置してヘッド開口部１６を閉塞している。また、内周受け凸部６８、８０が環状を成してディスクメディア１２のチャッキングエリアに当接することで該ディスクメディア１２の内周側から記録面側への塵芥等の侵入を防止すると共に、外周受け凸部７０とディスク受け部材８２のディスク外周受け部８２Ａとが環状を成してディスクメディア１２の記録面よりも径方向外側部分に当接することで該ディスクメディア１２の外周側から記録面側への塵芥等の侵入を防止している。さらに、ディスク押え部材８４がディスク押えばね８６の付勢力によってディスクメディア１２を下方に押し付け、該ディスクメディア１２のガタつきを防止している。
【００７０】
このディスクカートリッジ１０を使用する際、すなわちディスクメディア１２に情報を記録する際またはディスクメディア１２に記録された情報を再生する際には、ディスクカートリッジ１０を矢印Ａ方向に沿ってドライブ装置に装填する。この装填動作（ディスクカートリッジ１０とドライブ装置との相対移動）に伴って、ドライブ装置の開閉部材がインナロータ６０の操作突起６６に係合して該操作突起６６を後方に移動する。
【００７１】
すると、インナロータ６０すなわち第１シャッタ６４が矢印Ｄ方向に回動し、これに連動して第２シャッタ７４が矢印Ｅ方向に回動する。そして、図４及び図５に示す状態を経て、操作突起６６がシャッタ操作窓４６の後端まで移動すると、図６に示される如くヘッド開口部１６が完全に開放された状態になる。
【００７２】
次いで、ドライブ装置内では、基準孔５２Ａ、５３Ａに位置決めピンが挿入される等してディスクカートリッジ１０が位置決めされる。この位置決め状態でチャッキング開口部４２からはドライブ装置の回転スピンドル軸が進入し、該回転スピンドル軸がディスクメディア１２のセンタ孔１２Ａ（及びチャッキングエリア）をチャッキングして該ディスクメディア１２を保持しつつ第１シャッタ６４の上面から離間させる。そして、回転スピンドル軸が回転すると、ディスクメディア１２がケース１４内で非接触で回転駆動される。一方、ヘッド開口部１６からはドライブ装置の記録再生ヘッドが進入する。この記録再生ヘッドによって、ディスクメディア１２の記録面に情報が記録され、または記録面に記録された情報が再生される（ディスクメディア１２が使用される）。
【００７３】
ディスクメディア１２の使用後には、ディスクカートリッジ１０がドライブ装置から排出される。この排出動作に伴って、ドライブ装置の開閉部材がインナロータ６０の操作突起６６に係合して該操作突起６６を前方に移動する。すると、インナロータ６０すなわち第１シャッタ６４が矢印Ｄとは反対方向に回動し、これに連動して第２シャッタ７４が矢印Ｆ方向に回動する。そして、図５及び図４に示す状態を経て、操作突起６６がシャッタ操作窓４６の前端まで移動すると、図３に示される如くヘッド開口部１６が完全に閉塞された状態に復帰する。
【００７４】
ここで、第２シャッタ７４の当接端面７４Ａが支軸５２の軸心を中心とする円弧形状とされると共に、第１シャッタ６４の当接端面６４Ａが閉塞位置に位置するときに支軸５２の軸心を中心とし当接端面７４Ａにほぼ隙間なく接する円弧形状とされているため、第２シャッタ７４は、第１シャッタ６４の閉塞位置と開放位置との間の回動位置に依らず、該第１シャッタ６４に干渉することなく矢印Ｅまたは矢印Ｆ方向に回動することができる。
【００７５】
より具体的には、図３に示される如く、当接端面７４Ａにおける少なくとも仮想直線Ｌ２から矢印Ｆ側の範囲を、支軸５２の軸心廻りの円弧形状としているため、第２シャッタ７４が閉塞位置に位置する第１シャッタ６４に干渉してしまうことが確実に防止されている。これにより、図４に示す如く第１シャッタ６４（インナロータ６０）の矢印Ｄ方向への僅かな回動で第２シャッタ７４が矢印Ｅ方向に比較的大きく回動する構成としても、第１シャッタ６４と第２シャッタ７４とは、互いに干渉することなくスムースに動作してヘッド開口部１６を開閉することができる。
【００７６】
また、第１シャッタ６４の当接端面６４Ａと第２シャッタ７４の当接端面７４Ａとを上記の如く円弧形状としたため、第２シャッタ７４を小型化することが実現されている。ここで、図３に示す仮想直線Ｌ３は、図７に示す従来の閉塞状態にある当接端面１０８Ａ、１１０Ａに相当する。したがって、この仮想直線Ｌ３上の任意の点と第２シャッタの回動軸心とを結ぶ直線との成す角は仮想直線Ｌ３の全長に亘り鈍角となる。この図からわかるように従来は、第２シャッタを第１シャッタに干渉させないために、第１シャッタの当接端面が仮想直線Ｌ１に一致する構成と比較して第１シャッタによるヘッド開口部１６の閉塞範囲を狭め、その分を第２シャッタで閉塞するようにしていた。このため、当接端面が仮想直線Ｌ３に一致する従来の第２シャッタは、その長さが長くなるのみならず、ヘッド開口部１６の開放状態におけるケース１４への収容性上重要な幅が大きくなってしまう。また、仮想直線Ｌ３と平行でかつ仮想直線Ｌ３よりも支軸５２側に位置する仮想直線（図示省略）を当接端面とする第１シャッタでは、ヘッド開口部１６を完全に開放することはできない。
【００７７】
一方、本実施形態では、当接端面６４Ａ、７４Ａを上記円弧状とすることで、第２シャッタ７４は、仮想直線Ｌ１に対し僅かに凸となるだけで大型化が防止されている。特に、当接端面６４Ａ、７４Ａを全長に亘り円弧形状とすることで、該当接端面６４Ａ、７４Ａの長手方向両端が仮想直線Ｌ１の端部にそれぞれ一致するため、第２シャッタ７４は幅方向には全く大型化されない。これにより、本実施形態では、仮想直線Ｌ３を当接端面とする従来の構成と比較して、第２シャッタ７４が大幅に小型化されている。
【００７８】
したがって、第２シャッタ７４は、図６に示すヘッド開口部１６の開放状態で、ケース１４内における限られた空間であるヘッド開口部１６の左側の領域に、加工誤差や組付誤差等を吸収する十分な余裕を持って配置される。また、ヘッド開口部１６の左右方向の幅を広げて大型の記録性ヘッドのアクセスを可能とすることもできる。
【００７９】
このように、本実施形態に係るディスクカートリッジ１０では、第２シャッタ７４を大型化することなくヘッド開口部１６をスムースに開閉することができる。
【００８０】
なお、上記の実施形態では、当接端面６４Ａ、７４Ａが全長に亘り円弧状である好ましい構成としたが、本発明はこれに限定されず、少なくとも仮想直線Ｌ２よりも矢印Ｆ側部分が上記円弧形状であれば良い。
【００８１】
また、上記の実施形態では、開放位置に位置する第１シャッタ６４の切欠部６５Ａの当接端面６４Ａ側の縁部がヘッド開口部１６の右縁１６Ａと略一致する構成としたが、本発明はこれに限定されず、例えば、開放位置に位置する第１シャッタ６４の切欠部６５Ａの当接端面６４Ａ側の縁部がケース１４内に入り込む構成としても良い。
【００８２】
さらに、上記の実施形態では、第１シャッタ６４がヘッド開口部１６に対応する切欠部６５Ａを有する構成としたが、本発明はこれに限定されず、第１シャッタ６４は閉塞位置に位置するときにヘッド開口部１６の所要の一部を閉塞することができる形状（例えば、図３においてヘッド開口部１６の左右の縁部と第１シャッタ６４の外周と当接端面６４Ａ等とで囲まれる略台形状）であれば良い。したがって、本発明は、第２シャッタ７４が第１シャッタ６４の下側（薄肉部の下側）に配置され、当接端面６４Ａ、７４Ａの板厚が異なる構成には限定されず、同じ厚さの第１シャッタ６４と第２シャッタとを同一平面に沿って配置し、当接端面６４Ａ、７４Ａが全板厚に亘り突き当たるようにしても良い。
【００８３】
さらにまた、上記の実施形態では、ケース１４にディスク開口部２０が設けられている構成を例示したが、本発明はこれに限定されず、例えば、天板２８が開口部を備えない構成としても良く、ディスク開口部２０に代えて天板２８にもヘッド開口部１６またはアクセス開口４４を設けた構成として良い。後者の場合、天板２８とディスクメディア１２との間にシャッタ機構１８または別のシャッタ機構を設けることができる。
【００８４】
また、上記の実施形態では、第１シャッタ６４の当接端面６４Ａ、第２シャッタ７４の当接端面７４Ａが単に上下方向に沿う板厚部分である構成としたが、本発明はこれに限定されず、例えば、当接端面６４Ａと第２シャッタ７４とを互いの上下方向に重なり合うテーパ面や段付構造としても良い。
【００８５】
さらに、上記の実施形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。また、例えば、ディスクメディア１２は、片面記録タイプのみならず両面記録タイプであっても良く、ユーザによる情報の記録を不能とした再生専用のディスクメディアであっても良いことは言うまでもない。したがって、上記したドライブ装置の記録再生ヘッドは、記録機能のみ、または再生機能のみを有するものであっても良い。
【図面の簡単な説明】
【００８６】
【図１】本発明の一実施形態に係るディスクカートリッジの外観を示す斜視図である。
【図２】本発明の一実施形態に係るディスクカートリッジの分解斜視図である。
【図３】本発明の一実施形態に係るディスクカートリッジを構成するシャッタ機構によるヘッド開口部の閉塞状態を示す模式的な平面図である。
【図４】本発明の一実施形態に係るディスクカートリッジを構成するシャッタ機構のヘッド開口部の閉塞または開放過程を示す模式的な平面図である。
【図５】本発明の一実施形態に係るディスクカートリッジを構成するシャッタ機構のヘッド開口部の閉塞または開放過程の図４とは異なる状態を示す模式的な平面図である。
【図６】本発明の一実施形態に係るディスクカートリッジを構成するシャッタ機構によるヘッド開口部の開放状態を示す模式的な平面図である。
【図７】従来のディスクカートリッジを示す図であって、（Ａ）はシャッタ機構によるヘッド開口部の閉塞状態を示す平面図、（Ｂ）はシャッタ機構によるヘッド開口部の開放状態を示す平面図である。
【符号の説明】
【００８７】
１０    ディスクカートリッジ
１２    ディスクメディア
１４    ケース
１６    ヘッド開口部
１８    シャッタ機構
５０    ディスク収容部（収容部）
５２    支軸（第２シャッタの回動軸）
６４    第１シャッタ
６４Ａ  当接端面
７４    第２シャッタ
７４Ａ  当接端面
Ｌ１    仮想直線
【図１】
2005259246.tif 000003
【図２】
2005259246.tif 000004
【図３】
2005259246.tif 000005
【図４】
2005259246.tif 000006
【図５】
2005259246.tif 000007
【図６】
2005259246.tif 000008
【図７】
2005259246.tif 000009